(57)【要約】【課題】簡単な構造で、防水性を向上できるとともに、操作パネルの開放動作も円滑に行なえる開閉式パネルの防水構造を提供する。【解決手段】ディスクの挿脱口を有する本体の前面に操作パネルを枢着し、前記ディスク挿脱口の周囲面に環状のパッキンまたはリブを配し、操作パネルの内面には前記パッキンまたはリブに対応する環状のリブまたはパッキンを配したものにおいて、前記リブのふもと側周囲表面にパッキン表面に接触される微細な凹凸部を形成して貼り付きを防止する。【選択図】図１
2006216133.tif 000002
【特許請求の範囲】
【請求項１】
ディスクの挿脱口を有する本体の前面に操作パネルを枢着し、前記ディスク挿脱口の周囲面に環状のパッキンまたはリブを配し、操作パネルの内面には前記パッキンまたはリブに対応する環状のリブまたはパッキンを配したものにおいて、前記リブのふもと側周囲表面にパッキン表面に接触される微細な凹凸部を形成していることを特徴とする開閉パネルの防水構造。
【請求項２】
パッキンは柔軟な発泡体からなっていることを特徴とする請求項１に記載の開閉パネルの防水構造。
【発明の詳細な説明】
【技術分野】
【０００１】
本発明は開閉式パネルの防水構造に関する。
【背景技術】
【０００２】
たとえばＣＤプレーヤーやラジオなどを搭載した音響機器において、本体の前面にディスクの挿脱口を設ける一方、本体の前側にヒンジで開閉自在につながった保護蓋兼用の操作パネルを設け、これにラジオ本体やスイッチやボリュームをはじめとする種々の操作要素を組み込んだ構造のものが知られている。  
【０００３】
こうした開閉式前面パネルを有する音響機器において、野外用や船舶に搭載するいわゆるマリン用のものにおいては、ディスクの挿脱口への水の浸入は厳禁される。このための構造として、従来、本体前面と操作パネルの内面の一方に環状のパッキンを設け、他方に前記パッキンに圧接するリブ（突起）を設けた防水構造が採用されている。  
【０００４】
こうした防水構造において、水密性を高めるには、リブ突出高さをあまり高くせず、パッキンにリブを食い込ませるとともにリブ付け根のパネル表面をパッキンに密着させると浸水経路が長くなるので効果的であるが、こうした構造により、反面において、閉鎖解除ボタンを押して操作パネルを開こうとしたときに、パッキンとパネル表面との貼り付き現象を起こしやすく、閉鎖解除ボタンを何度も押したりする煩雑な操作を要する問題があるため、採用が困難であった。
【特許文献１】特開２００３−１５２３５１公報
【特許文献２】特開平６−３３４５６８号公報
【発明の開示】
【発明が解決しようとする課題】
【０００５】
本発明は前記のような問題点を解消するためになされたもので、その目的とするところは、簡単な構造で、防水性を向上できるとともに、操作パネルの開放動作も円滑に行なえる開閉式パネルの防水構造を提供することにある。
【課題を解決するための手段】
【０００６】
上記目的を達成するため本発明は、ディスクの挿脱口を有する本体の前面に操作パネルを枢着し、前記ディスク挿脱口の周囲面に環状のパッキンまたはリブを配し、操作パネルの内面には前記パッキンまたはリブに対応する環状のリブまたはパッキンを配したものにおいて、前記リブのふもと側周囲表面にパッキン表面に接触される微細な凹凸部を形成していることを特徴としている。
【発明の効果】
【０００７】
操作パネルを閉じた状態では、リブがパッキンに食い込み、かつ、リブのふもと表面の微細な凹凸がパッキン表面に密接するので、それらの相乗効果ですぐれた防水性能を発揮することができる。
しかも微細な凹凸部によりパッキン表面と面接触でなく点群的な接触関係となるので貼り付き現象が起こりにくく、開放ボタンを押して操作パネルを開こうとしたときに貼り付きが起こらず、応答性よく開披することができる。  
【発明を実施するための最良の形態】
【０００８】
好適には、パッキンは柔軟発泡体からなっている。
これによれば、柔らかな素材であるため圧縮性がよく、リブ付け根の微細な凹凸面に追従して密接することができる。
【実施例１】
【０００９】
以下添付図面を参照して本発明の実施例を説明する。
図１ないし図３は本発明の防水構造を適用したマリン用音響機器の開閉パネルの一例を示しており、１は本体であり、ＣＤやＤＶＤプレーヤー本体、電子回路、電気回路などを組み込み、周囲を耐水性のボックス状カバー１ａで覆ってなり、前面部には、樹脂製のパネル２が水密に固定されている。
【００１０】
前記パネル２は両側に前方に突出したガード壁２ａ、２ａが設けられ、これの内側の前面２ｂにはＣＤなどディスクを本体内に挿入し、また取り出す挿脱口２０が設けられている。
【００１１】
３は保護蓋を兼ねた操作パネルであり、パネル本体３Ａとエスカッション３Ｂと基板３Ｃと背面板３Ｄなどを重ね合わせたユニットからなっており、基板側からパネル本体３Ａを貫いてラジオ、ＣＤ，Ａuｘ、ＣｅＮｅｔなどの電源をはじめとする各種操作のための多数の押しボタン、ロータリーノブ、液晶表示部などが組み込まれている。
前記操作パネル３は、下側部分が前記本体１のパネル２と数個のヒンジ４で枢着され、前記ガード壁２ａ、２ａの間の部分で開閉自在となっている。また、操作パネル３は枢着部と反対側にフックなどの係合部５を有し、前記パネル２に設けたフックなどの係合部６と係脱可能になっており、係合部５に対応するパネル本体３Ａには、押圧することで前記係合部５，６の係脱を解除する押しボタン７が取り付けられている。
【００１２】
前記パネル２の前面２ｂには、挿脱口２０の周囲に相当する位置に正面から見て環状をなすパッキン８が貼設されている。該パッキン８は、ＥＰＤＭ，ＣＲ，ＮＲ，Ｓi、ＮＢＲ，ＦＫＭなど非吸水性で、耐熱性、耐寒性、耐候性が良好な材質のものを使用できるが、好ましくは、柔軟で比較的わずかな力でも容易に圧縮でき、圧縮したときの凹凸に対する追従性がよく、復元力が強く高密度なゴムやプラスチックの発泡体が用いられる。その例としては、ＥＰＤＭやＣＲ，ＮＲ，Ｓi、ＮＢＲ，ＦＫＭの各発泡体が挙げられ、一例としては、硬度：２０〜３０、密度：０．０７〜０．２０ｇ/ｃｃ、５０％圧縮荷重：３０〜４００ｇ/c、厚さ：２〜４ｍｍ、幅：４〜８ｍｍのＥＰＤＭの発泡体が挙げられる。
【００１３】
操作パネル３の背面板３Ｄは樹脂あるいは金属板からなっており、その表面３０には、前記パッキン８に対応する位置に、正面から見て環状をなし前記パッキン８の幅方向ほぼ中央部に食い込み可能なリブ３１が突設されている。
前記リブ３１は比較的幅が狭く、突出高さは通常０．５〜１．０ｍｍ程度である。そして、前記リブ３１の麓に相当する操作パネル表面３０には、前記パッキン８の輪郭と相似しかつ幅もほぼ一致する微細な凹凸部３２を形成している。
前記凹凸部３２は面粗度が３６〜４１μｍのごとき粗面からなっている。かかる凹凸部３２は、操作パネル成形金型の型面に粗面を形成して操作パネルの成形時に表面３０に一体形成させるか、あるいは操作パネルの成形後にブラスト加工を施すなどして得ればよい。凹凸部３２は微小な突起を間隔をおいて配列した形態でもよいし、面に格子状の溝を細かい間隔で形成することにより台形状の突起群が形成された形態であってもよい。
【００１４】
本発明の作用を説明すると、図１のように操作パネル３を開けば、パネル２の前面は開放状態となるので、図示しないディスクを挿脱口２０に挿入することができる。ついで操作パネル３を起こして押圧すれば、パネル２と操作パネル３の係合部５，６が係合して閉じられるが、このときに操作パネル３のリブ３１がパネル２のパッキン８に強接する。パッキン８は柔軟で比較的わずかな力でも圧縮する特性であるためリブ３１がパッキン８に食い込んで密着し、しかも、リブ３１の沈みにより該リブのふもとにある微細な凹凸部３２がリブの幅方向前後のパッキン表面８０と密着する。
このため、リブ３１のパッキン８への食い込み作用と、リブ両側の凹凸部とパッキン表面との密接作用の相乗で防水性能が著しく向上される。
【００１５】
この状態から、ディスクを取り出しあるいは交換するために押しボタン７を押圧すれば、パネル２と操作パネル３の係合部５，６が解除され、操作パネル３は自重あるいはヒンジ等に内蔵されているキャンセルスプリングなどの付勢力でパネル２から離間しようとする。
このときに、閉じ状態時にリブ両側の平滑面がパッキン表面と密接していると界面吸引力が高いため貼り付き現象を起こすが、本発明では、リブ両側の微細な凹凸部３２がパッキン表面と点接触している関係にあるので界面吸引力は低くなり、このため、リブのふもと面とパッキン表面との貼りつき現象が発生せず、操作パネル３の開披に伴って円滑に離間する。
したがって、良好な防水性を確保しつつ、操作パネル３の開放をスムーズに行なうことができる。
【００１６】
なお、実施例では、パネル２側にパッキン８を設け、操作パネル３側にリブ３１と微細な凹凸部３２を設けているが、これを逆にし、パネル２側にリブ３１と微細な凹凸部３２を設け、操作パネル３側にパッキン８を設けてもよく、この態様も本発明に含まれる。
【図面の簡単な説明】
【００１７】
【図１】本発明にかかる防水構造を適用した開閉パネルの一例を開披状態で示す斜視図である。
【図２】閉じ状態の斜視図である。
【図３】（ａ）は閉じ状態の部分的拡大断面図、（ｂ）は開披時の部分的拡大断面図である。
【符号の説明】
【００１８】
１  本体
２  パネル
３  操作パネル
８  パッキン
３０  表面
３１  リブ
３２  微細な凹凸部
【図１】
2006216133.tif 000003
【図２】
2006216133.tif 000004
【図３】
2006216133.tif 000005